(57)【要約】【課題】記憶されているデータファイルが少ない場合に印刷対象のデータファイルを簡易に印刷すること。【解決手段】記憶部（１４）に記憶されたデータファイルの個数が設定された一定数より少ない場合に、このデータファイルを印刷対象ファイルとして決定する印刷対象決定部（１６６）と、決定された印刷対象ファイルの印刷を行う画像形成部（１８）とを備えた画像形成装置（１）。【選択図】図２
2020049707.tif 000002
【特許請求の範囲】
【請求項１】
データファイルから印刷対象ファイルを決定する印刷対象決定部と、
前記決定された印刷対象ファイルの印刷を行う印刷部と、
を備え、
前記印刷対象決定部は、前記データファイルの個数が設定された一定数より少ない場合に、前記データファイルを前記印刷対象ファイルとして決定することを特徴とする画像形成装置。
【請求項２】
前記データファイルの生成日時に係る情報を含むファイル情報を取得するファイル情報取得部を備え、
前記印刷対象決定部は、前記データファイルの個数が一定数より少ない場合、前記ファイル情報に基づき設定された日時より後に生成されたデータファイルを前記印刷対象ファイルとして決定することを特徴とする請求項１に記載の画像形成装置。
【請求項３】
前記データファイルの生成日時に係る情報を含むファイル情報を取得するファイル情報取得部を備え、
前記印刷対象決定部は、前記データファイルの個数が一定数より多い場合、前記ファイル情報に基づき設定された日時より後に生成されたデータファイルを前記印刷対象ファイルとして決定することを特徴とする請求項１に記載の画像形成装置。
【請求項４】
前記データファイルの生成日時に係る情報を含むファイル情報を取得するファイル情報取得部を備え、
前記データファイルのうち設定された日時より後に生成されたデータファイルが一定数より多い場合に、前記データファイルを選択可能に表示する表示制御部を備え、
前記印刷対象決定部は、前記データファイルのうち選択されたデータファイルを前記印刷対象ファイルとして決定することを特徴とする請求項１に記載の画像形成装置。
【請求項５】
前記画像形成装置は、外部記憶媒体が接続可能であって、
前記印刷対象決定部は、前記外部記憶媒体に記憶された前記データファイルの個数が一定数より少ない場合に、前記データファイルを前記印刷対象ファイルとして取得することを特徴とすることを特徴とすることを特徴とする請求項１に記載の画像形成装置。
【請求項６】
データファイルから印刷対象ファイルを決定して印刷を行う画像形成システムにおいて、
前記データファイルの個数が設定された一定数より少ない場合に、前記データファイルを前記印刷対象ファイルとして決定する印刷対象決定部と、
前記印刷対象ファイルを送信する通信部と、
を有する通信端末装置と、
前記通信端末装置から送信された前記印刷対象ファイルを取得するファイル取得部と、
前記ファイル取得部により取得された印刷対象ファイルの印刷を行う印刷部と、
を有する画像形成装置と、
を備えたことを特徴とする画像形成システム。
【請求項７】
前記通信端末装置は、
前記データファイルの生成日時に係る情報を含むファイル情報を取得するファイル情報取得部を備え、
前記印刷対象決定部は、前記データファイルの個数が一定数より少ない場合、前記ファイル情報に基づき設定された日時より後に生成されたデータファイルを前記印刷対象ファイルとして決定することを特徴とする請求項６に記載の画像形成システム。
【請求項８】
前記通信端末装置は、前記データファイルの生成日時に係る情報を含むファイル情報を取得するファイル情報取得部を備え、
前記印刷対象決定部は、前記データファイルの個数が一定数より多い場合、前記ファイル情報に基づき設定された日時より後に生成されたデータファイルを前記印刷対象ファイルとして決定することを特徴とする請求項６に記載の画像形成システム。
【請求項９】
前記通信端末装置は、
前記データファイルの生成日時に係る情報を含むファイル情報を取得するファイル情報取得部と、
前記データファイルのうち設定された日時より後に生成されたデータファイルが一定数より多い場合に、前記データファイルを選択可能に表示する表示制御部とを備え、
前記印刷対象決定部は、選択された前記データファイルを前記印刷対象ファイルとして決定することを特徴とする請求項６に記載の画像形成システム。
【請求項１０】
通信端末装置に記憶されたデータファイルを画像形成装置で印刷するための画像形成方法において、
前記通信端末装置に記憶された前記データファイルの個数が設定された一定数よりも少ない場合に前記データファイルを印刷対象ファイルとして決定し、
前記印刷対象ファイルを前記画像形成装置に送信し、
前記画像形成装置は、前記通信端末装置から送信された前記印刷対象ファイルを取得し、前記印刷対象ファイルを印刷することを特徴とする画像形成方法。
【発明の詳細な説明】
【技術分野】
【０００１】
本発明は、データファイルの印刷を行う画像形成装置、画像形成システム、及び画像形成方法に関する。
【背景技術】
【０００２】
画像データや書類データなどのデータファイルを印刷する画像形成装置では、一般的に、記憶媒体に記憶されたデータファイルを読み出して操作画面に表示し、操作画面上でユーザにより選択されたデータファイルを印刷する。ＵＳＢメモリなどの可搬性記憶媒体に記憶されたデータファイルを読み出して印刷する場合でも、通常、画像形成装置は、ユーザが操作画面で印刷対象のデータファイルを確認し所望のデータファイルを選択した場合に、その印刷を行う。
【０００３】
これに対して、画像形成装置で印刷する対象のデータファイルの個数が多い場合に、ユーザにとって印刷対象のデータファイルを選択指定しやすくするため、データファイルをリスト表示やサムネイル表示するシステムが開示されている（例えば、特許文献１参照）。
【先行技術文献】
【特許文献】
【０００４】
【特許文献１】特開２０１３−４６１７９号公報
【発明の概要】
【発明が解決しようとする課題】
【０００５】
しかしながら、可搬性記憶媒体等の記憶媒体に記憶されているデータファイルの個数が少ない場合や、ユーザにとって印刷対象のデータファイルが明らかで、印刷対象のデータファイルを確認するまでもなく印刷を行いたい場合などには、操作画面にデータファイルを表示することやデータファイルの選択操作を行うことが、ユーザにとって煩わしい場合がある。
【０００６】
本発明は上述した課題に鑑みてなされたものであり、記憶されているデータファイルが少ない場合に印刷対象のデータファイルを容易に印刷することができる画像形成装置、画像形成システム、画像形成方法、及び画像形成プログラムを提供することを目的とする。
【課題を解決するための手段】
【０００７】
本発明の画像形成装置は、
データファイルから印刷対象ファイルを決定する印刷対象決定部と、
前記決定された印刷対象ファイルの印刷を行う印刷部と、を備え、
前記印刷対象決定部は、前記データファイルの個数が設定された一定数より少ない場合に、前記データファイルを前記印刷対象ファイルとして決定することを特徴とする。
【０００８】
本発明の画像形成システムは、
データファイルから印刷対象ファイルを決定して印刷を行う画像形成システムであって、
前記データファイルの個数が設定された一定数より少ない場合に、前記データファイルを前記印刷対象ファイルとして決定する印刷対象決定部と、
前記印刷対象ファイルを送信する通信部と、
を有する通信端末装置と、
前記通信端末装置から送信された前記印刷対象ファイルを取得するファイル取得部と、
前記ファイル取得部により取得された印刷対象ファイルの印刷を行う印刷部と、
を有する画像形成装置と、
を備えたことを特徴とする。
【０００９】
本発明の画像形成方法は、
通信端末に記憶されたデータファイルを画像形成装置で印刷するための画像形成方法であって、
前記通信端末装置に記憶された前記データファイルの個数が設定された一定数よりも少ない場合に前記データファイルを印刷対象ファイルとして決定するステップと、
前記印刷対象ファイルを前記画像形成装置に送信するステップと、
前記画像形成装置は、前記通信端末装置から送信された前記印刷対象ファイルを取得し、前記印刷対象ファイルを印刷するステップと、
を備えたことを特徴とする。
【発明の効果】
【００１０】
本発明の画像形成装置等によれば、記憶されたデータファイルが一定数より少ない場合には、印刷対象のデータファイルを容易に印刷することができる。
【図面の簡単な説明】
【００１１】
【図１】第１の実施形態に係る画像形成装置１の概要図である。
【図２】第１の実施形態に係る画像形成装置１の機能構成図である。
【図３】表示画面に表示される操作画面の一例を示す説明図である。
【図４】データファイルの生成日時情報を示す説明図である。
【図５】印刷対象ファイルの数が表示された操作画面の一例を示す説明図である。
【図６】印刷設定を行うための操作画面の一例を示す説明図である。
【図７】画像形成装置１において、印刷対象ファイルを印刷するまでの処理の流れを示すフローチャートである。
【図８】第２の実施形態に係る画像形成装置２の概要図である。
【図９】第２の実施形態に係る画像形成装置２の機能構成図である。
【図１０】画像形成装置２において、印刷対象ファイルを印刷するまでの処理の流れを示すフローチャートである。
【図１１】表示画面に表示される操作画面の一例を示す説明図である。
【図１２】第３の実施形態に係る画像形成システムＳの概要を示す図である。
【図１３】第３の実施形態に係る画像形成システムＳの機能構成図である。
【図１４】通信端末装置における操作画面の一例を示す説明図である。
【図１５】第３の実施形態に係る画像形成システムＳにおいて、印刷対象を印刷する処理の流れを示すフローチャートである。
【図１６】通信端末装置における操作画面の一例を示す説明図である
【発明を実施するための形態】
【００１２】
以下、図面を参照して本発明を実施するための一実施形態について説明する。なお、本実施形態では、一例として、情報処理装置を、プリンタ、複写機、ファクシミリ等の性能を統合したマルチファンクション機（複合機）としての画像形成装置に適用した場合について説明する。
【００１３】
［１．第１の実施形態］
まず、本発明の一実施の形態に係る画像形成装置１の構成について、図１、図２、図３、図４、図５、図６を用いて説明する。
【００１４】
図１は、本発明の第１の実施形態に係る画像形成装置１の概要を示す図である。画像形成装置１は、制御部であるＣＰＵ（Central Processing Unit）及び記憶媒体を有するとともに、通信機能を備えたコンピュータである。画像形成装置１は、例えば、プリンタ、複写機、ファクシミリ等の性能を統合したマルチファンクション機としての複合機能装置である。
図１において、画像形成装置１は、表示画面部１０Ｗと、記憶部１４とを備える。
【００１５】
画像形成装置１は、表示画面部１０Ｗを有する。表示画面部１０Ｗは、例えば、液晶ディスプレイや有機ＥＬ（Electro Luminescence）ディスプレイで構成される。表示画面部１０Ｗには、例えば、画像形成装置１に対する操作入力を行うための操作キーを含んだ操作画面（操作インターフェイス画面）が表示される。
【００１６】
記憶部１４は、画像形成装置１の内部に設けられ、データファイルを記憶するファイル記憶領域を有する。ファイル記憶領域には、データファイル（Ｆ００１）が記憶されている。
【００１７】
続いて、画像形成装置１について、図２に示す機能構成図を参照しながら、詳細な説明を行う。
図２は、第１の実施形態に係る画像形成装置１の機能構成図である。画像形成装置１は表示画面部１０Ｗと、記憶部１４と、制御部１６、画像形成部１８とを備える。
【００１８】
表示画面部１０Ｗは、操作部１０２と、表示部１０４とを備える。操作部１０２は、例えば、ユーザからタッチ操作等のキー入力操作を受け付けるタッチパネルである。表示部１０４は、例えば、液晶ディスプレイや有機ＥＬディスプレイで構成される。
表示画面部１０Ｗにおけるキー入力は、例えば、表示画面部１０Ｗに表示されたソフトウェアキーボードに対して、ユーザによって行われる文字、数字、及び記号等の入力動作やキー選択動作である。
なお、操作部１０２は、ハードウェアキーで実現されてもよいし、ソフトウェアキーと組み合わせて実現されてもよい。
【００１９】
記憶部１４は、データファイルを記憶する記憶媒体であり、例えば、ＳＳＤ(Solid State Drive)やＨＤＤ(Hard Disk Drive)など電源がオフとなっても記憶内容が破壊されない不揮発性記憶装置を含む。記憶部１４の不揮発性記憶装置には、各種プログラムが記憶されており、これらのプログラムに従って、制御部１６が処理を実行することで、画像形成装置１の各種機能が実現される。記憶部１４には、ＣＰＵがプログラムを実行する際に各種データが一時的に格納されるＲＡＭ(Random Access Memory)も含まれる。
【００２０】
記憶部１４は、データファイルを記憶するファイル記憶領域１４２を有する。ファイル記憶領域１４２には、例えば、画像形成装置１に接続された機器から転送されたデータファイルが格納される。データファイルは、例えば、ユーザにより生成された書類ファイル、画像データ、動画データ等である。
【００２１】
制御部１６は、ＣＰＵを含み構成される。制御部１６は、記憶部１４に記憶されている各種プログラムを実行することにより、画像形成装置１の全体動作を司り各種ジョブの実行を統括的に制御する。
【００２２】
制御部１６は、プログラムを読み出して実行することにより、表示制御部１６０と、ファイル数算出部１６２と、ファイル情報取得部１６４と、印刷対象決定部１６６として機能する。
【００２３】
表示制御部１６０は、表示画面部１０Ｗの表示部１０４に表示される表示内容を制御する。具体的には、表示制御部１６０は、記憶部１４に記憶されたデータファイルを含む操作画面を表示部１０４に対して表示させる。
【００２４】
例えば、表示制御部１６０は、ファイル記憶領域１４２に記憶されたデータファイルをサムネイル化し、選択可能な状態で表示画面部１０Ｗ（表示部１０４）に表示してもよい。
【００２５】
図３は、表示画面部１０Ｗに表示される操作画面の一例を示す図である。図３の操作画面には、データファイル（画像ファイル）のサムネイル画像（Ａ１、Ａ２、Ａ３、Ａ４）と、各種操作キーが含まれている。
ユーザは、操作画面に対する入力操作を行うことにより、印刷対象の選択や解除などの印刷設定を行うことができる。図３では、サムネイルＡ３とサムネイルＡ４がユーザにより選択された状態を示している。例えば、図３における操作キーである「次へ」ボタンＡ５がタップされると、サムネイル表示された画像ファイルＡ３、Ａ４の２枚が印刷される。
【００２６】
ファイル数算出部１６２は、ファイル記憶領域１４２に記憶されたデータファイルの数をカウントして算出する。ファイル数算出部１６２によりカウントされるデータファイルは、画像形成装置１での印刷対象ファイルとなり得るデータファイルであり、ファイル形式、属性等は設定されているものとする。印刷対象ファイルとなり得るデータファイルのファイル形式はユーザにより指定されたものであってもよい。
【００２７】
ファイル数算出部１６２は、ファイル記憶領域１４２内に記憶されたデータファイルのファイル数を算出してもよいし、設定されたフォルダ内に記憶されたデータファイルのファイル数をカウントして算出してもよいし、指定された属性を有するデータファイルのファイル数を算出してもよい。
【００２８】
ファイル情報取得部１６４は、ファイル記憶領域１４２内に記憶されたデータファイルからファイル情報を取得する。ファイル情報は、ファイル記憶領域１４２に記憶された各データファイルが生成された日時を示す情報やデータファイルの属性を示す情報を含む。
具体的には、ファイル情報取得部１６４は、ファイル記憶領域１４２に記憶されたデータファイルそれぞれのヘッダ情報に含まれる情報を、各データファイルから取得する。ファイル情報には、例えば、データファイルが生成された時刻、編集された日付、時刻、生成された場所に対応付けられた位置情報等が含まれていてもよい。
【００２９】
印刷対象決定部１６６は、算出されたファイル数に応じて、印刷対象ファイル（以下「印刷対象」）となるデータファイル（以下「ファイル」）を決定する。
印刷対象決定部１６６は、算出されたファイルの個数が、決められた一定数より少ないか否かを検証する。例えば、印刷対象決定部１６６は、算出されたファイルの個数（例えば「３」）が、一定数（例えば「５」）より少なく且つファイルが１個以上ある場合に、全てのファイル（ここでは、３個のファイル全て）を印刷対象として決定する。
【００３０】
また、印刷対象決定部１６６は、ファイル情報取得部１６４により取得されたファイル情報に含まれるファイルの生成日時に係る情報（以下「生成日時情報」）に基づいて、設定された日時（例えば、２０１８年４月１日）より後に生成されたファイルを印刷対象ファイルとして決定してもよい。
【００３１】
図４は、ファイル記憶領域１４２に記憶された各データファイルの生成日時情報を示す説明図である。例えば、設定された日時が２０１８年４月１日である場合、印刷対象決定部１６６は、８個のデータファイルそれぞれの生成日時情報に基づいて印刷対象ファイルとして決定する。図４では、２０１８年４月１日より後に生成された３つのファイル（File００１、File００２、File００３）が印刷対象ファイルとして決定される。
【００３２】
印刷対象決定部１６６は、算出されたファイルの個数が、設定された一定数（設定数）より多い場合に、ファイル情報に含まれるファイルの生成日時情報に基づいて、印刷対象ファイルとして決定してもよい。
【００３３】
また、印刷対象決定部１６６は、算出されたファイルの個数が、設定された一定数より少ない場合に、ファイル情報に基づいて、予め設定された日時より後に生成されたデータファイルを印刷対象ファイルとして決定してもよい。
【００３４】
画像形成部１８は、データファイルの画像を印刷用紙上に画像形成する機能を実現する。画像形成部１８は、例えば、感光体ドラムと、帯電装置と、レーザーユニットと、現像装置と、転写分離装置と、クリーニング装置と、定着装置とを有し、電子写真プロセスによって画像形成を行う、レーザープリンタとして構成される。
【００３５】
画像形成部１８は、制御部１６で決定された印刷対象ファイルの印刷を行う。例えば、制御部１６によりファイル記憶領域１４２に記憶されている全てのファイルが印刷対象ファイルとして決定された場合、画像形成部１８は、ファイル記憶領域１４２から読みだされた全てのファイルを印刷する。
【００３６】
なお、ファイル記憶領域１４２に記憶されている全てのファイルが印刷対象ファイルとして決定された場合、表示制御部１６０は、印刷対象ファイルを表示画面部１０Ｗに表示しなくてもよい。
この場合、ファイル記憶領域１４２に記憶された全てのファイルが印刷対象ファイルとして決定されると、画像形成部１８によって、即座に印刷対象ファイルの印刷が開始される。
【００３７】
これにより、印刷設定などの操作画面の「次へ」キーをタッチするといった入力操作を行うことなく、印刷対象ファイルが印刷される。
また、ファイル記憶領域１４２に記憶されている全てのファイルが印刷対象ファイルとして決定された場合、表示制御部１６０は、印刷対象ファイルとして決定されたデータファイルの数を示す操作画面を表示画面部１０Ｗに表示してもよい。
【００３８】
例えば、図５は、印刷対象ファイルの数を示す操作画面の一例を示す説明図である。ユーザは、図５における印刷対象ファイルの数（４個）を確認し、操作キーである「全て印刷」ボタン０Ｂをタッチすることで、画像形成部１８により、４個の印刷対象ファイルの印刷が開始される。
【００３９】
表示制御部１６０は、印刷対象決定部１６６によって決定された印刷対象を、印刷設定を行うための操作画面に含めて表示画面部１０Ｗ（表示部１０４）に表示してもよい。図６は、印刷設定を行うための操作画面の一例を示す説明図である。
【００４０】
図６では、印刷対象ファイルのサムネイル画像（Ｎ１、Ｎ２、Ｎ３、Ｎ４）と、操作ボタンが含まれる。これにより、ユーザは、表示画面部１０Ｗにサムネイル表示されたデータファイルが印刷することを意図したデータファイルではない場合に、そのデータファイルの印刷を中止することができる。
【００４１】
［ファイル印刷の動作フロー（１）］
続いて、画像形成装置１における印刷操作の動作フローについて説明する。図７は、第１の実施形態に係る画像形成装置１において、印刷対象を印刷するまでの処理の流れを示すフローチャートである。
【００４２】
まず、画像形成装置１のファイル記憶領域１４２に対して、ユーザがファイルを格納することにより、記憶部１４にはファイルが記憶される（ステップＳ１００）。
【００４３】
続いて、ファイル情報取得部１６４が、ファイル記憶領域１４２に記憶されたファイルからファイル情報を取得する（ステップＳ１０２）。
続いて、ファイル数算出部１６２が、ファイル記憶領域１４２に記憶されたファイルのファイル数を算出し、算出されたファイル数が設定された設定数（例えば「４」）より少ないか否かを判定する（ステップＳ１０４）。
【００４４】
ここで、ファイル記憶領域１４２に記憶されたファイルのファイル数が設定数より少ない場合（例えば、ファイル記憶領域１４２に記憶されたファイルのファイル数が１個であった場合）（ステップＳ１０４：ＹＥＳ）、印刷対象決定部１６６は、ファイル記憶領域１４２に記憶された全てのファイル、すなわち、１個のファイルを印刷対象に決定する（ステップＳ１０６）。続いて、画像形成部１８は、印刷対象の印刷を行う（ステップＳ１１０）。
【００４５】
一方、ステップＳ１０４で、ファイル記憶領域１４２に記憶されたファイルのファイル数が設定数以上の場合（例えば、ファイル記憶領域１４２に記憶されたファイルのファイル数が８個であった場合）（ステップＳ１０４：ＮＯ）、印刷対象決定部１６６は、８個のファイルデータから取得されたファイル情報に基づき、２０１８年４月１日より後に生成されたファイルを印刷対象ファイルとして決定する（ステップＳ１０８）。
続いて、画像形成部１８は、印刷対象ファイルの印刷を行う（ステップＳ１１０）。
【００４６】
なお、ステップＳ１０８で、２０１８年４月１日より後に生成されたファイルの数が一定値（ここでは、「４」）より大きい場合には、２０１８年４月１日より後に生成されたファイルをサムネイル表示し、ユーザが選択することで印刷対象を決定してもよい。
【００４７】
［第１の実施形態における効果］
以上のように、第１の実施形態では、ファイル記憶領域１４２に記憶されたデータファイルの数が設定数以下である場合に、ユーザによる操作の手数をかけることなく、所望のデータファイルを迅速且つ簡易に印刷することが可能となる。
【００４８】
［２．第２の実施形態］
続いて、第２の実施形態について説明する。以下、第１の実施形態と異なる部分について説明を行う。第１の実施形態と同じ部分については適宜説明を省略する。
【００４９】
図８は、第２の実施形態に係る画像形成装置２の概要を示す図である。図８において、画像形成装置２は、表示画面部２０Ｗと、接続端子部２５を備えている。接続端子部２５には、外部記憶媒体４が接続される。
【００５０】
接続端子部２５は、ＵＳＢインターフェースに対応した機器やメモリカードなどを差し込むための挿入口である。外部記憶媒体４は、ＵＳＢインターフェースを有し、内部にファイル記憶領域を有する記憶媒体であり、例えば、ＵＳＢメモリやＳＤ（Secure Digital）カードである。
【００５１】
続いて、画像形成装置２について、図９に示す機能構成図を参照しながら、詳細な説明を行う。図９は、第２の実施形態に係る画像形成装置２の機能構成図である。
画像形成装置２は、外部記憶媒体４と、表示画面部２０Ｗと、記憶部２４と、制御部２６、画像形成部２８（印刷部に相当）とを備える。
【００５２】
表示画面部２０Ｗは、操作部２０２と、表示部２０４とを備える。操作部２０２は、例えば、ユーザからタッチ等のキー入力操作を受け付けるタッチパネルである。表示部２０４は、例えば、液晶ディスプレイや有機ＥＬディスプレイで構成される。
表示画面部２０Ｗにおけるキー入力は、例えば、表示画面部２０Ｗに表示されたソフトウェアキーボードに対して、ユーザによって行われる文字、数字、及び記号等の入力動作やキー選択動作である。
なお、操作部２０２は、ハードウェアキーで実現されてもよいし、ソフトウェアキーと組み合わせて実現されてもよい。
【００５３】
記憶部２４は、データファイルを記憶する記憶媒体であり、例えば、ＳＳＤやＨＤＤなど電源がオフとなっても記憶内容が破壊されない不揮発性記憶装置を含む。記憶部２４の不揮発性記憶装置には、各種プログラムが記憶されており、これらのプログラムに従って、制御部２６が処理を実行することで、画像形成装置２の各種機能が実現される。また、記憶部２４には、ＣＰＵがプログラムを実行する際に各種データが一時的に格納されるＲＡＭも含まれる。
【００５４】
記憶部２４は、データファイルを記憶するファイル記憶領域２４２を有する。ファイル記憶領域２４２には、例えば、画像形成装置２の接続端子部２５に接続された外部記憶媒体４から、ユーザの操作に応じて、データファイルが転送され、格納される。データファイルは、例えば、ユーザにより生成され接続端子部２５に記憶された書類ファイル、画像データ、動画データ等である。
【００５５】
制御部２６は、制御部であるＣＰＵを含み構成され、記憶部２４に記憶されている各種プログラムを実行することにより、画像形成装置２の全体動作を司り各種ジョブの実行を統括的に制御する。
【００５６】
制御部２６は、プログラムを読み出して実行することにより、表示制御部２６０と、ファイル数算出部２６２と、ファイル情報取得部２６４と、印刷対象決定部２６６と、データ転送制御部２６８として機能する。
【００５７】
表示制御部２６０は、表示画面部２０Ｗの表示部２０４に表示される表示内容を制御する。具体的には、表示制御部２６０は、記憶部２４に記憶されたデータファイルや、選択用のキーボタンなどを含む操作画面を表示部２０４に対して表示させる。
例えば、表示制御部２６０は、ファイル記憶領域２４２に記憶されたデータファイルをサムネイル化し、選択可能な状態で表示画面部２０Ｗ（表示部２０４）に表示してもよい。
【００５８】
ファイル数算出部２６２は、ファイル記憶領域２４２に記憶されたデータファイルの数をカウントして算出する。
【００５９】
なお、ファイル数算出部２６２によってカウントされるデータファイルは、画像形成装置２での印刷対象ファイルとなり得るデータファイルであり、ファイル形式、属性等が設定されているものとする。印刷対象ファイルとなり得るデータファイルのファイル形式はユーザにより指定されたものであってもよい。
【００６０】
ファイル数算出部２６２は、接続端子部２５に接続された外部記憶媒体４の外部ファイル記憶領域４０にアクセスして、外部ファイル記憶領域４０に記憶されたデータファイルの数を算出してもよい。
【００６１】
ファイル数算出部２６２は、ファイル記憶領域２４２や外部ファイル記憶領域４０に記憶されたデータファイルのファイル数を算出してもよいし、設定されたフォルダ内に記憶されたデータファイルのファイル数をカウントして算出してもよいし、指定された属性を有するデータファイルのファイル数を算出してもよい。
【００６２】
ファイル情報取得部２６４は、ファイル記憶領域２４２に記憶されたデータファイルが生成された日時を示す情報（生成日時情報）を含むファイル情報を取得する。
具体的には、ファイル情報取得部２６４は、ファイル記憶領域２４２に記憶された各データファイルから、ヘッダ情報や属性を示す情報を取得する。ファイル情報には、例えば、データファイルが生成された時刻、データファイルが生成された場所に対応付けられた位置情報等が含まれていてもよい。
【００６３】
印刷対象決定部２６６は、ファイル数算出部２６２により算出されたファイル数に応じて、印刷対象ファイルを決定する。
具体的には、ファイル記憶領域２４２に記憶されたデータファイルの個数が設定数より少ない場合に、そのデータファイルを印刷対象ファイルとして決定する。例えば、印刷対象決定部２６６は、算出されたファイルの個数が５個より少なく且つファイルの個数が１個以上ある場合に、全てのファイルを印刷対象として決定する。
【００６４】
また、印刷対象決定部２６６は、外部記憶媒体４に記憶されたデータファイルの個数が設定数より少ない場合に、そのデータファイルを印刷対象ファイルと決定し、外部記憶媒体４から取得してもよい。この場合、外部記憶媒体４に記憶されたデータファイルは、外部記憶媒体４から読み出されて、画像形成部２８により印刷される。
【００６５】
データ転送制御部２６８は、接続端子部２５に接続された機器が記憶領域を含む場合に、その記憶媒体に記憶されたデータファイルを記憶部２４に転送する。
データ転送制御部２６８は、例えば、接続端子部２５に接続された外部記憶媒体４の外部ファイル記憶領域４０にアクセスを行い、外部ファイル記憶領域４０に記憶されたデータファイルを記憶部２４に転送する処理を行う。
【００６６】
また、操作部２０２を介してユーザからデータ転送の要求があった場合に、データ転送制御部２６８は、外部ファイル記憶領域４０に記憶されたデータファイルをファイル記憶領域２４２に転送してもよい。
【００６７】
データ転送制御部２６８は、外部記憶媒体４のようなデータファイルを記憶する記憶媒体が接続端子部２５に接続された場合に、これを検知して、外部記憶媒体に記憶されたデータファイルの転送処理を開始してもよい。
【００６８】
画像形成部２８は、制御部２６からのコマンドに応じて、決定された印刷対象ファイルの印刷を行う。画像形成部２８は、データファイルの画像を印刷用紙上に画像形成する機能を実行する。画像形成部２８は、例えば、感光体ドラムと、帯電装置と、レーザーユニットと、現像装置と、転写分離装置と、クリーニング装置と、定着装置とを有し、電子写真プロセスによって画像形成を行う、レーザープリンタとして構成される。
【００６９】
画像形成部２８は、例えば、ファイル記憶領域２４２に記憶されているファイルが一定数（例えば「５」とする）より少ない場合には、全てのファイルが印刷対象ファイルとして設定されるので、表示画面部２０Ｗに印刷設定画面を表示することなく、ファイル記憶領域２４２に記憶されているファイル全てを印刷してもよい。
【００７０】
この場合、ユーザが操作画面に対する入力操作を行うことなく、印刷対象ファイルの印刷が行われる。例えば、記憶部２４のファイル記憶領域２４２に記憶されているデータファイルをユーザが把握していて、且つこのデータファイルを印刷したい場合に、ユーザは表示画面部２０Ｗで印刷対象ファイルに表示させたり、表示画面部２０Ｗに対する操作を行ったりすることなく、迅速に印刷することが可能となる。
【００７１】
［ファイル印刷の動作フロー（２）］
続いて、画像形成装置２における印刷操作の動作フローについて説明する。図１０は、第２の実施形態に係る画像形成装置２において、印刷対象ファイルを印刷するまでの処理の流れを示すフローチャートである。
【００７２】
まず、ユーザにより画像形成装置２に外部記憶端末４が接続される（ステップＳ２００）。続いて、データ転送制御部２６８が、外部ファイル記憶領域４０に記憶されたデータファイルをファイル記憶領域２４２に転送し、データファイルをファイル記憶領域２４２に記憶させる（ステップＳ２０２）。
【００７３】
続いて、ファイル情報取得部２６４は、ファイル記憶領域２４２に記憶されたデータファイルからファイル情報を取得する（ステップＳ２０４）。ファイル数算出部２６２は、ファイル記憶領域２４２に記憶されたデータファイルのファイル数を算出し、算出されたファイル数が設定された一定の数（設定数：例えば「５」）より少ないか否かを判定する（ステップＳ２０６）。
【００７４】
ここで、ファイル記憶領域２４２に記憶されたファイルのファイル数が設定数より少ない場合（例えば、ファイル記憶領域２４２に記憶されたファイルのファイル数が３個であった場合）（ステップＳ２０６：ＹＥＳ）、印刷対象決定部２６６は、ファイル記憶領域２４２に記憶された３個のファイルを印刷対象に決定し（ステップＳ２０８）、画像形成部１８は、印刷対象ファイルの印刷を行う（ステップＳ２２０）。
【００７５】
なお、上記ステップＳ２０８で印刷対象が決定したときに、表示制御部２６０は、例えば、図１１に示すように、印刷対象ファイルのファイル数（例えば、３個）を示す操作画面を表示画面部２０Ｗに表示してもよい。
図１１では、ユーザから操作画面における「全て印刷」ボタン１Ｂに対するタッチ操作があった場合に、画像形成部１８は、印刷対象ファイルの印刷を行う。また、図１１で、「もどる」ボタン２Ｂにタッチ操作があった場合は、印刷対象のデータファイルがサムネイル表示された操作画面が表示される設定でもよい。
【００７６】
一方、ステップＳ２０６で、ファイル記憶領域２４２に記憶されたファイル数が一定数よりも多い場合（ステップＳ２０６：ＮＯ）、印刷対象決定部２６６は、ファイル情報に基づき印刷対象ファイルを選択する（ステップＳ２１０）。
例えば、印刷対象決定部２６６は、ファイル情報の生成日時情報が２０１８年４月１日以降であるファイルを印刷対象として選出する。
【００７７】
続いて、印刷対象決定部２６６は、選出されたファイルのファイル数が設定された一定の数（設定数：例えば「５」）より少ないか否かを判定する（ステップＳ２１２）。
【００７８】
ここで、選出されたファイルのファイル数が５より少ない場合（ステップＳ２１２：ＹＥＳ）、印刷対象決定部２６６は、選出されたファイル、すなわち、生成日時情報が２０１８年４月１日以降であるファイル全てを印刷対象ファイルに決定する（ステップＳ２１８）。
【００７９】
一方、ステップＳ２１２で、選出されたファイル数が１０以上ある場合（ステップＳ２１２：ＮＯ）、表示制御部２６０は、選出されたファイルをサムネイル表示、またはリスト表示して、ユーザによるファイル選択を待機する。（ステップＳ２１４）。
【００８０】
続いて、ユーザが印刷したいファイルが選択された後、印刷対象の決定用の操作キー（例えば「次へ」ボタン）へのタッチ入力（選択入力）を受け付けたことに応じて、（ステップＳ２１６）、印刷対象決定部２６６は、選択されたファイルを印刷対象ファイルとして決定し（ステップＳ２１８）、画像形成部１８は、印刷対象の印刷を行う（ステップＳ２２０）。
【００８１】
［第２の実施形態における効果］
以上のとおり、第２の実施形態によれば、ＵＳＢメモリなどの外部記憶端末４に記憶されたデータファイルを、操作手数をかけることなく、画像形成装置で迅速且つ簡易に印刷することができる。
【００８２】
［３．第３の実施形態］
続いて、第３の実施形態について説明する。以下、第１の実施形態、第２の実施形態と異なる部分について説明を行う。第１の実施形態、第２の実施形態と同じ部分については適宜説明を省略する。
【００８３】
図１２は、本発明の第３の実施形態に係る画像形成システムＳの概要を示す図である。図１２の画像形成システムＳは、画像形成装置３と通信端末装置５とを備えている。
【００８４】
通信端末装置５は、画像形成装置３との無線通信接続を確立し、画像形成装置３は、通信端末装置５から無線通信を介して送られたデータファイルを取得して印刷する。本実施形態における無線通信は、例えば、Bluetooth（登録商標）、無線ＬＡＮ（Ｗｉ-Ｆｉ）、赤外線通信等であってもよい。
【００８５】
通信端末装置５は、制御部であるＣＰＵ及びデータ記憶媒体を有するとともに、通信機能を備えたコンピュータである。通信端末装置５は、表示画面部５０Ｗを備えたスマートフォン等のモバイル端末機器である。表示画面部５０Ｗは、例えば、液晶ディスプレイや有機ＥＬディスプレイで構成される。
【００８６】
また、通信端末装置５には、例えば、記憶領域に記憶されたデータファイルから印刷対象ファイルを選択、決定するためのアプリケーションプログラムである印刷アプリが導入されている。表示画面部５０Ｗには、印刷アプリの操作画面として、通信端末装置５内に記憶されたデータファイルと操作キーを含む操作画面が表示される。
【００８７】
続いて、画像形成システムＳにおける画像形成装置３と通信端末装置５について、図１３に示す機能構成図を参照しながら、詳細な説明を行う。
【００８８】
図１３は、第３の実施形態に係る画像形成システムＳの機能構成図である。はじめに、通信端末装置５について説明する。
通信端末装置５は、表示画面部５０Ｗと、通信部５２と、記憶部５４と、制御部５６とを備える。以下、それぞれの構成について詳説する。
【００８９】
表示画面部５０Ｗは、操作部５０２と、表示部５０４を備える。操作部５０２は、例えば、ユーザからタッチ等のキー入力操作を受け付けるタッチパネルである。表示部５０４は、例えば、液晶ディスプレイや有機ＥＬディスプレイで構成される。
表示画面部５０Ｗおけるキー入力は、例えば、表示部５０４に表示されたソフトウェアキーボードを用いて、ユーザにより行われる文字、数字、及び記号等の入力動作である。
【００９０】
通信部５２は、通信アンテナを含み構成され、制御部５６の制御に応じて近距離無線通信を行う。具体的には、通信部３２は、Bluetooth搭載機器との近距離無線通信を確立して行う。通信部３２は、例えば、画像形成装置３とのBluetooth通信を確立して無線通信を行う。
【００９１】
記憶部５４は、データファイルを記憶する記憶媒体であり、例えば、ＳＳＤやＨＤＤなどのように、電源がオフとなっても記憶内容が破壊されない不揮発性記憶装置を含む。また、記憶部５４の不揮発性記憶装置には、ＣＰＵがプログラムを実行する際に各種データが一時的に格納されるＲＡＭも含まれる。
【００９２】
記憶部５４には、各種プログラムが記憶されており、これらのプログラムに従って制御部５６が処理を実行することで、通信端末装置５の各種機能が実現される。記憶部５４には、例えば、印刷アプリが記憶されている。
【００９３】
記憶部５４は、データファイルを記憶するファイル記憶領域５４２を有する。データファイルには、例えば、ユーザが通信端末装置５のカメラ機能を利用して撮影した画像ファイル、動画ファイル、また、ユーザによって生成された書類ファイル等が含まれる。
【００９４】
制御部５６は、ＣＰＵを含み構成され、記憶部５４に記憶されている各種プログラムをＣＰＵが実行することにより、通信端末装置５の全体動作を司り各種ジョブの実行を統括的に制御する。
【００９５】
制御部５６は、表示制御部５６０と、ファイル数算出部５６２と、ファイル情報取得部５６４と、印刷対象決定部５６６とを備える。
尚、本実施形態における表示制御部５６０、ファイル数算出部５６２、ファイル情報取得部５６４、印刷対象決定部５６６、通信制御部５６８は、通信端末装置５の印刷用アプリが実行されることにより、印刷用アプリ内の機能として実現されてもよい。
【００９６】
表示制御部５６０は、表示部５０４に表示される表示内容を制御する。具体的には、表示制御部５６０は、記憶部５４に記憶されたデータファイルや操作画面を表示部５０４に対して表示させる制御を行う。
例えば、表示制御部５６０は、ファイル記憶領域５４２に記憶されたデータファイルをサムネイル化またはリスト化して、選択可能な状態で表示画面部５０Ｗ（表示部５０４）に表示してもよい。
【００９７】
図１４は、表示画面部５０Ｗに表示される印刷アプリの操作画面の一例を示す図である。図１４の操作画面には、データファイルがフォルダ単位（フォルダ０１〜０６）で表示されている。ユーザは、この印刷アプリの操作画面でフォルダやデータファイルを指定することにより、印刷対象の選択や解除などの印刷設定を行うことができる。
【００９８】
ファイル数算出部５６２は、ファイル記憶領域５４２に記憶されたデータファイルの数をカウントして算出する。
尚、ファイル数算出部５６２によりカウントされるデータファイルは、画像形成装置３で印刷され得るデータファイルであり、ファイル形式、属性等は設定されているものとする。データファイルのファイル形式はユーザにより指定されたものであってもよい。
【００９９】
ファイル数算出部５６２は、ファイル記憶領域５４２内に記憶されたデータファイルのファイル数を算出してもよいし、印刷アプリ内でユーザにより指定されたフォルダ内に含まれるファイルのファイル数をカウントして算出してもよく、また、印刷アプリ内でユーザによって指定された属性を有するデータファイルのファイル数を算出してもよい。
【０１００】
ファイル情報取得部５６４は、ファイル記憶領域５４２に記憶されたデータファイルが生成された日時を示す情報を含むファイル情報を取得する。
具体的には、ファイル情報取得部５６４は、ファイル記憶領域５４２に記憶されたデータファイルそれぞれのヘッダ情報やデータファイルの属性を示す情報を、各データファイルから取得する。ファイル情報には、例えば、データファイルが生成された時刻、生成された場所に対応付けられた位置情報等が含まれていてもよい。
【０１０１】
印刷対象決定部５６６は、算出されたファイル数に応じて、印刷対象となるファイルを決定する。例えば、印刷対象決定部５６６は、算出されたファイルの個数が一定数（例えば「５」）より少なく且つファイルが１個以上ある場合に、全てのファイルを印刷対象として決定する。
【０１０２】
また、印刷対象決定部５６６は、ファイル情報取得部５６４により取得されたファイル情報に含まれる生成日時情報に基づいて、設定された日時（例えば、２０１８年４月１日）より後に生成されたファイルを印刷対象ファイルとして決定してもよい。
【０１０３】
印刷対象決定部５６６は、算出されたファイルの個数が一定数（例えば、「１０」）より多い場合に、ファイル情報に含まれるファイルの生成日時情報に基づいて、設定された日時（例えば、２０１８年４月１日）より後に生成されたデータファイルを印刷対象ファイルとして決定してもよい。
【０１０４】
通信制御部５６８は、通信部５２の動作を制御することにより、通信端末装置５と外部の通信機器との無線データ通信を実現する。例えば、通信制御部５６８は、通信部５２を介して、画像形成装置３とのBluetoothによる無線通信を確立する。通信制御部５６８は、印刷対象として決定されたファイルを、無線通信を利用して画像形成装置３に送信する。
【０１０５】
次に、図１３に戻って、画像形成装置３について説明する。画像形成装置３は、表示画面部３０Ｗと、通信部３２と、記憶部３４と、制御部３６、画像形成部３８を備える。以下、それぞれの構成について説明する。
【０１０６】
表示画面部３０Ｗは、操作部３０２と、表示部３０４を備える。操作部３０２は、例えば、ユーザからタッチ等のキー入力操作を受け付けるタッチパネルである。表示部３０４は、例えば、液晶ディスプレイや有機ＥＬディスプレイで構成される。
表示画面部３０Ｗにおけるユーザからのキー入力は、例えば、表示画面部３０Ｗに表示されたソフトウェアキーボードを用いて、ユーザにより行われる文字、数字、及び記号等の入力動作である。
なお、操作部３０２は、ハードウェアキーで実現されてもよいし、ソフトウェアキーと組み合わせて実現されてもよい。
【０１０７】
通信部３２は、通信アンテナを含み構成され、制御部３６の制御に応じて近距離無線通信を行う。具体的には、通信部３２は、Bluetooth搭載機器との近距離無線通信を確立して行う。通信部３２は、例えば、通信端末装置５の通信部５２とのBluetooth通信を確立して無線通信を行う。
【０１０８】
記憶部３４は、データファイルを記憶する記憶媒体であり、例えば、ＳＳＤやＨＤＤなど電源がオフとなっても記憶内容が破壊されない不揮発性記憶装置を含む。記憶部３４の不揮発性記憶装置には、各種プログラムが記憶されており、これらのプログラムに従って、制御部３６が処理を実行することで、画像形成装置３の各種機能が実現される。記憶部３４には、ＣＰＵがプログラムを実行する際に各種データが一時的に格納されるＲＡＭも含まれる。
【０１０９】
記憶部３４は、データファイルを記憶するファイル記憶領域３４２を有する。ファイル記憶領域３４２には、例えば、画像形成装置３に無線通信接続された機器から送られたデータファイルが格納される。データファイルは、例えば、ユーザにより生成された書類ファイル、画像データ、動画データ等である。
【０１１０】
制御部３６は、ＣＰＵを含み構成される。制御部３６は、記憶部３４に記憶されている各種プログラムを実行することにより、画像形成装置３の全体動作を司り各種ジョブの実行を統括的に制御する。
【０１１１】
制御部３６は、プログラムを読み出して実行することにより、表示制御部３６０と、印刷対象決定部３６６と、通信制御部３６８として機能する。
【０１１２】
表示制御部３６０は、表示画面部３０Ｗの表示部３０４に表示される表示内容を制御する。具体的には、表示制御部３６０は、記憶部３４に記憶されたデータファイルや、画像形成装置３の操作画面を表示部３０４に対して表示させる。
例えば、表示制御部３６０は、ファイル記憶領域３４２に記憶されたデータファイルをサムネイル化し、選択可能な状態で表示画面部３０Ｗ（表示部３０４）に表示してもよい。
【０１１３】
また、表示制御部３６０は、ファイル記憶領域３４２に記憶されたファイルの個数が一定数（例えば、「１０」）より多い場合に、これらのデータファイルを表示部３０４に対して、ユーザが選択可能な状態で表示してもよい。
例えば、ファイル記憶領域３４２に記憶されたデータファイルの個数が１２個であり、２０１８年４月１日より後に生成されたデータファイルが４個である場合、印刷対象決定部３６６は、印刷対象の数を１２個から４個に絞ることができる。
【０１１４】
印刷対象決定部３６６は、ファイル記憶領域３４２に記憶されたファイルのうち印刷対象となるファイルを決定する。
ファイル記憶領域３４２に記憶されたファイルが、通信端末装置５の制御部５６で印刷対象に決定されたものである場合には、印刷対象決定部３６６は、ファイル記憶領域３４２に記憶されたファイルを全て印刷対象ファイルとして決定する。
【０１１５】
また、印刷対象決定部３６６は、例えば、ファイル記憶領域３４２に記憶されたファイルの個数が一定数（例えば「５」）より少なく且つファイルが１個以上ある場合、すなわち、記憶されたファイルの個数が１〜４個のいずれかであった場合には、全てのファイルを印刷対象として決定してもよい。
【０１１６】
通信制御部３６８は、通信部３２の動作を制御することにより、画像形成装置３と外部の通信機器とのデータ通信を確立し、通信部３２における画像形成装置３とのデータ通信を制御する。
例えば、通信制御部３６８は、通信部３２を介して通信端末装置５とのBluetooth通信接続を確立する。また、例えば、通信制御部３６８は、通信端末装置５から送られて通信部３２（ファイル取得部に対応）で受信されたファイルがファイル記憶領域３４２に記憶されるように制御する。
【０１１７】
画像形成部３８は、制御部３６からのコマンドに応じて、決定された印刷対象ファイルの印刷を行う。具体的には、印刷対象ファイルの画像を印刷用紙上に画像形成する。
尚、本実施形態における画像形成部３８も、第１実施形態の画像形成部１８、第２実施形態の画像形成部２８と同様に、感光体ドラムと、帯電装置と、レーザーユニットと、現像装置と、転写分離装置と、クリーニング装置と、定着装置とを有し、電子写真プロセスによって画像形成を行う、レーザープリンタとして構成される。
【０１１８】
画像形成部３８は、例えば、ファイル記憶領域３４２に記憶されているファイルが一定数（例えば「５」とする）より少ない場合には、全てのファイルが印刷対象ファイルとして設定されるので、印刷対象ファイルの印刷設定画面を表示することなく、印刷を行ってもよい。
【０１１９】
［ファイル印刷の動作フロー（３）］
続いて、本実施形態である画像形成システムＳにおける、印刷対象を印刷するまでの処理の動作フローについて、図１５を用いて説明する。図１５は、第３の実施形態に係る画像形成システムＳにおいて、印刷対象を印刷するまでの処理の流れを示すフローチャートである。
【０１２０】
まず、通信端末装置５の印刷アプリが、ユーザによる操作により起動される（ステップＳ３００）。続いて、通信制御部５６８は、印刷アプリ内の機能として、画像形成装置３に対して無線通信接続を行う（ステップＳ３０２）。
【０１２１】
続いて、ファイル数算出部５６２が、ファイル記憶領域５４２に記憶されたファイル数を算出し、記憶されたファイル数が設定された一定数（例えば、基準数「１０」）より少ないか否かを判定する（ステップＳ３０４）。
【０１２２】
ここで、例えば、算出されたファイル数が８個である場合（ステップＳ３０４：ＹＥＳ）、印刷対象決定部５６６は、ファイル記憶領域５４２に記憶された８個全てのファイルを印刷対象ファイルに決定し（ステップＳ３０６）、通信部５２は、この８個の印刷対象ファイルを画像形成装置３に送信する（ステップＳ３１２）。
【０１２３】
一方、上記ステップＳ３０４で、算出されたファイル数が、例えば１２個であった場合、通信端末装置５の表示制御部５６０が表示部５０４に１２個のデータファイルをサムネイル表示する（ステップＳ３０８）。
【０１２４】
図１６は、通信端末装置５における印刷アプリの操作画面の一例である。図１６の操作画面には、算出されたデータファイルの１２個に対応する選択用のサムネイル画像と、各種操作キーが含まれている。ユーザは、サムネイル画像の操作を行うことにより、印刷対象の選択や解除などの印刷設定を行うことができる。
【０１２５】
ここで、通信端末装置５のユーザが、例えば、サムネイル画像に対して選択入力を行い（ステップＳ３１０）、印刷対象決定部５６６が、選択されたサムネイル画像に対応するデータファイルを印刷対象ファイルに決定し（ステップＳ３１０）、通信部５２は、印刷対象ファイルを画像形成装置３に送信する（ステップＳ３１２）。
【０１２６】
例えば、図１６では、４個のサムネイル画像（Ｐ１、Ｐ２、Ｐ３、Ｐ４）がユーザにより選択された状態を示している。ここで、ユーザにより図１６における操作キーである「選択」ボタン３Ｂがタッチされると、サムネイル画像Ｐ１〜Ｐ４に対応する４個のデータファイル（画像ファイル）が画像形成装置３に送信される。
【０１２７】
続いて、画像形成装置３の通信部３２は、印刷対象ファイルを取得してファイル記憶領域３４２に格納する（ステップＳ３１４）。続いて、表示制御部３６０は、ファイル記憶領域３４２に記憶された印刷対象ファイルを表示部３０４に表示する（ステップＳ３１６）。
【０１２８】
ここで、操作部３０２に表示されたファイルに対するユーザの選択操作があった場合、印刷対象決定部３６６は、選択されたファイルを印刷する（ステップＳ３１８）。
【０１２９】
尚、上記ステップＳ３１６で、印刷対象ファイルが表示部３０４に表示された状態で、一定時間（例えば、５秒間）経過した場合に、ユーザによる選択操作を待たず、画像形成部３８が、表示された印刷対象ファイルを印刷する設定であってもよい。
【０１３０】
この場合、ユーザは、表示部３０４に表示された印刷対象ファイルを確認した後、印刷対象ファイルを、操作画面に対する操作を行うことなく印刷することが可能となる。
【０１３１】
また、画像形成部３８は、上記ステップＳ３１４で、ファイル記憶領域３４２に格納されたことに応じて、印刷対象ファイルを印刷する設定であってもよい。
この場合、ユーザは、印刷対象ファイルが表示部３０４に表示されるのを待つことなく、迅速に印刷することができる。
【０１３２】
［第３の実施形態における効果］
すなわち、第３の実施形態によれば、通信端末装置５の印刷用アプリで決定された印刷対象ファイルを、画像形成装置３に送信して迅速に印刷することが可能となる。
このため、例えば、通信端末装置５に記憶されたデータファイルが、ユーザにとって印刷したいファイルであることが明らかである場合、画像形成装置３で表示することなく、所望のファイルを簡易に印刷することが可能となる。
【０１３３】
［４．変形例］
以上、この発明の実施形態について図面を参照して詳述してきたが、具体的な構成はこの実施形態に限られるものではなく、この発明の要旨を逸脱しない範囲の設計等も特許請求の範囲に含まれる。
【０１３４】
また、実施形態において各装置で動作するプログラムは、上述した実施形態の機能を実現するように、ＣＰＵ等の演算装置を制御するプログラム（コンピュータを機能させるプログラム）である。そして、これら装置で取り扱われる情報は、その処理時に一時的に一時記憶装置（例えば、ＲＡＭ）に蓄積され、その後、各種ＲＯＭやＨＤＤ、ＳＳＤの記憶装置に格納され、必要に応じてＣＰＵによって読み出し、修正・書き込みが行なわれる。
【０１３５】
また、市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれるのは勿論である。
【符号の説明】
【０１３６】
１、２、３    画像形成装置
４    外部記憶媒体
５    通信端末装置
１０Ｗ、２０Ｗ、３０Ｗ、５０Ｗ    表示画面部
１４、２４、３４、５４    記憶部
１６、２６、３６、５６    制御部
１８、２８、３８    画像形成部
４０   外部ファイル記憶領域
１０２、２０２、３０２、５０２    操作部
１０４、２０４、３０４、５０４    表示部
１４２、２４２、３４２、５４２    ファイル記憶領域
１６０、２６０、３６０、５６０    表示制御部
１６２、２６２、５６２    ファイル数算出部
１６４、２６４、５６４    ファイル情報取得部
１６６、２６６、３６６、５６６    印刷対象決定部
【図１】
2020049707.tif 000003
【図２】
2020049707.tif 000004
【図３】
2020049707.tif 000005
【図４】
2020049707.tif 000006
【図５】
2020049707.tif 000007
【図６】
2020049707.tif 000008
【図７】
2020049707.tif 000009
【図８】
2020049707.tif 000010
【図９】
2020049707.tif 000011
【図１０】
2020049707.tif 000012
【図１１】
2020049707.tif 000013
【図１２】
2020049707.tif 000014
【図１３】
2020049707.tif 000015
【図１４】
2020049707.tif 000016
【図１５】
2020049707.tif 000017
【図１６】
2020049707.tif 000018